(57)【要約】【課題】  人々の移動時間を考慮した情報提示を行い、適切な範囲にのみ情報を提供することができる情報提示端末を決定する。【解決手段】  本発明は、現在時刻を取得し、イベント情報ＤＢから開始時刻を取得し、所定の歩行速度を用いて、イベント開始までに人が移動できる距離Ａを求め、イベント情報ＤＢから開催位置情報を取得し、情報提示機器ＤＢから機器設置位置情報を取得して、イベント毎の該機器設置位置から該開催位置までの距離Ｂを求め、所定の間隔で、距離Ａが前記距離Ｂよりも大きくなるイベントを抽出し、該距離Ｂを求めた機器設置位置の情報提示機器に対応させて機器制御情報リストを更新し、イベントに対応する案内情報を、イベント毎の案内情報が格納された案内情報ＤＢから取得して情報提示機器に出力する。【選択図】  図１
2011008447.tif 000002
【特許請求の範囲】
【請求項１】
複数の場所に設置されたイベントの案内情報を出力する情報提示機器を選択するための情報提示機器選択装置であって、
イベント毎に、開催位置情報と開始時刻を格納したイベント情報データベースと、
前記情報提示機器毎の識別情報と機器設置位置情報を格納した情報提示機器データベースと、
現在時刻を取得し、前記イベント情報データベースから前記開始時刻を取得し、所定の歩行速度を用いて、イベント毎に、イベント開始までに人が移動できる距離Ａを求める移動距離算出手段と、
前記イベント情報データベースから前記開催位置情報を取得し、前記情報提示機器データベースから機器設置位置情報を取得して、イベント毎の該機器設置位置から該開催位置までの距離Ｂを求める機器位置・イベント開催位置間距離算出手段と、
所定の間隔で、前記距離Ａが前記距離Ｂよりも大きくなるイベントを抽出し、該イベントの識別情報と該距離Ｂを求めた機器設置位置の情報提示機器の識別情報とを対応させて機器制御情報リスト記憶手段の機器制御情報を更新する機器制御情報更新手段と、
を有することを特徴とする情報提示機器選択装置。
【請求項２】
イベント毎の案内情報が格納された案内情報データベースと、
前記機器制御情報リスト記憶手段から前記機器制御情報を取得し、該機器制御情報のイベントの識別情報に基づいて前記案内情報データベースから案内情報を取得して、該機器制御情報の情報提示機器の識別情報に対応する情報提示機器に出力する機器制御手段と、
を更に有する
請求項１記載の情報提示機器選択装置。
【請求項３】
前記案内情報は、
音声、映像、画像、文字のいずれかである
請求項２記載の情報提示機器選択装置。
【請求項４】
複数の場所に設置されたイベントの案内情報を出力する情報提示機器を選択するための装置における情報提示機器選択方法であって、
現在時刻を取得し、イベント情報データベースからイベントの開始時刻を取得し、所定の歩行速度を用いて、イベント開始までに人が移動できる距離Ａを求める移動距離算出ステップと、
前記イベント情報データベースから開催位置情報を取得し、情報提示機器データベースから機器設置位置情報を取得して、イベント毎の該機器設置位置から該開催位置までの距離Ｂを求める機器位置・イベント開催位置間距離算出ステップと、
所定の間隔で、前記距離Ａが前記距離Ｂよりも大きくなるイベントを抽出し、該イベントの識別情報と該距離Ｂを求めた機器設置位置の情報提示機器の識別情報とを対応させて機器制御情報リスト記憶手段の機器制御情報を更新する機器制御情報更新ステップと、
を行うことを特徴とする情報提示機器選択方法。
【請求項５】
前記機器制御情報リスト記憶手段から前記機器制御情報を取得し、該機器制御情報のイベントの識別情報に対応する案内情報を案内情報データベースから取得して、該機器制御情報の情報提示機器の識別情報に対応する情報提示機器に出力する機器制御ステップを更に行う
請求項４記載の情報提示機器選択方法。
【請求項６】
前記案内情報は、
音声、映像、画像、文字のいずれかである
請求項５記載の情報提示機器選択方法。
【請求項７】
請求項１乃至３のいずれか１項に記載の情報提示機器選択装置を構成する各手段としてコンピュータを機能させるための情報提示機器選択プログラム。
【発明の詳細な説明】
【技術分野】
【０００１】
本発明は、情報提示機器選択装置及び方法及びプログラムに係り、特に、ある場所で特定の時間に開催されるイベント等の情報を、特定の範囲の人にのみ情報提供可能な情報提示機器（例えば、スピーカ、街頭ディスプレイ）を選択するための情報提示機器選択装置及び方法及びプログラムに関する。
【背景技術】
【０００２】
従来、コンテンツ表示装置周囲の歩行者情報や車両の走行する場所、時間等の状況に基づき、ビル外壁に設置したコンテンツ表示装置で表示する技術がある（例えば、特許文献1参照）。
【先行技術文献】
【特許文献】
【０００３】
【特許文献１】特開２００５−１０９６５号公報
【発明の概要】
【発明が解決しようとする課題】
【０００４】
例えば、上記の特許文献1に記載の技術では、周囲の状況に応じた情報を表示装置に表示することはできるが、その表示装置に表示された情報をその場で見聞きした人が、その情報を有効に活用できるかどうかについては考慮されていない。例えば、デパートや遊園地あるいはイベント会場などで５分後に開始される催し物の開始案内が表示装置に表示されたり、スピーカから案内が流れたが、催し物が5分後に開始されると知らされてもイベント会場まで歩いて１０分の場所にいたら間に合わない。つまり、時間や空間の特性を考慮した情報提示を行うことができないという問題がある。
【０００５】
本発明は、上記の点に鑑みなされたもので、人々の移動時間を考慮した情報提示を行い、適切な範囲にのみ情報を提供することができる情報提示端末を決定するための情報提示機器選択装置及び方法及びプログラムを提供することを目的とする。
【課題を解決するための手段】
【０００６】
図１は、本発明の原理構成図である。
【０００７】
本発明（請求項１）は、複数の場所に設置されたイベントの案内情報を出力する情報提示機器を選択するための情報提示機器選択装置であって、
イベント毎に、開催位置情報と開始時刻を格納したイベント情報データベース２１０と、
情報提示機器毎の識別情報と機器設置位置情報を格納した情報提示機器データベース２２０と、
現在時刻を取得し、イベント情報データベース２１０からイベントの開始時刻を取得し、所定の歩行速度を用いて、現在時刻からイベント開始までに人が移動できる距離Ａを求める移動距離算出手段１２０と、
イベント情報データベース２１０から開催位置情報を取得し、情報提示機器データベース２２０から機器設置位置情報を取得して、イベント毎の該機器設置位置から該開催位置までの距離Ｂを求める機器位置・イベント開催位置間距離算出手段１３０と、
所定の間隔で、距離Ａが距離Ｂよりも大きくなるイベントを抽出し、そのイベントの識別情報と該距離Ｂを求めた機器設置位置の情報提示機器の識別情報とを対応させて機器制御情報リスト記憶手段１６０の機器制御情報を更新する機器制御情報更新手段１４０と、を有する。
【０００８】
また、本発明（請求項２）は、イベント毎の案内情報が格納された案内情報データベースと、
機器制御情報リスト記憶手段１６０から情報提示機器の機器制御情報を取得し、該機器制御情報のイベントの識別情報に基づいて、案内情報データベースから案内情報を取得して、該情報提示機器の識別情報に対応する情報提示機器１０に出力する機器制御手段１５０と、を更に有する。
【０００９】
また、本発明（請求項３）は、案内情報として、音声、映像、画像、文字のいずれかを用いる。
【００１０】
図２は、本発明の原理を説明するための図である。
【００１１】
本発明（請求項４）は、複数の場所に設置されたイベントの案内情報を出力する情報提示機器を選択するための装置における情報提示機器選択方法であって、
現在時刻を取得し（ステップ１）、イベント情報データベースからイベントの開始時刻を取得し、所定の歩行速度を用いて、イベント開始までに人が移動できる距離Ａを求める移動距離算出ステップ（ステップ２）と、
イベント情報データベースから開催位置情報を取得し、情報提示機器データベースから機器設置位置情報を取得して、イベント毎の該機器設置位置から該開催位置までの距離Ｂを求める機器位置・イベント開催位置間距離算出ステップ（ステップ３）と、
所定の間隔で、前記距離Ａが前記距離Ｂよりも大きくなるイベントを抽出し、そのイベントの識別情報と該距離Ｂを求めた機器設置位置の情報提示機器の識別情報とを対応させて機器制御情報リスト記憶手段の機器制御情報を更新する機器制御情報更新ステップ（ステップ４）と、を行う。
【００１２】
また、本発明（請求項５）は、機器制御情報リスト記憶手段から機器制御情報を取得し、該機器制御情報のイベントの識別情報に対応する案内情報を、案内情報データベースから取得して該機器制御情報の情報提示機器の識別情報に対応する情報提示機器に出力する機器制御ステップ（ステップ５）を更に行う。
【００１３】
また、本発明（請求項６）は、案内情報として、音声、映像、画像、文字のいずれかを用いる。
【００１４】
本発明（請求項７）は、請求項１乃至３のいずれか１項に記載の情報提示機器選択装置を構成する各手段としてコンピュータを機能させるための情報提示機器選択プログラムである。
【発明の効果】
【００１５】
上記のように本発明によれば、情報提供予定の特定の場所、時刻の情報、各機器の設置場所、現在時刻、予め定めた各機器付近に居る人の移動速度を用いて、機器による情報提供後に人が移動を開始しても特定の場所・時刻に到着可能な機器のみを情報提示機器として選択することにより、イベント等に参加可能な人に対してのみ情報を提示することができる。
【図面の簡単な説明】
【００１６】
【図１】本発明の原理構成図である。
【図２】本発明の原理を説明するための図である。
【図３】情報提示範囲の概念図である。
【図４】本発明の第１の実施の形態における情報提示機器選択装置の構成図である。
【図５】本発明の第１の実施の形態におけるイベント情報データベースの座標による位置の表現のイメージである。
【図６】本発明の第１の実施の形態における動作のフローチャートである。
【図７】本発明の第２の実施の形態における情報提示機器選択装置の構成図である。
【発明を実施するための形態】
【００１７】
以下、図面と共に本発明の実施の形態を説明する。
【００１８】
図３は、情報提示範囲についての概念図を示す。
【００１９】
同図における情報提示機器とはスピーカやディスプレイを指す。同図においてＡをインベント会場とし、Ｂ，Ｃ，Ｄは順にイベント会場Ａからの距離が大きくなった（遠い）ゾーンを示すものとする。ゾーンＤに居てもイベント開始に間に合う場合には、ゾーンＢ，Ｃ，Ｄの情報提示機器ｂ，ｃ，ｄを用いて情報提示を行う。その後、ゾーンＤからでは間に合わないが、ゾーンＣなら間にあう場合には、ゾーンＢ，Ｃの情報提示機器ｂ、ｃを用いて情報提示を行う。さらに、ゾーンＣからは間に合わないがゾーンＢなら間に合う場合は、ゾーンＢの情報提示機器ｂを用いて情報提示を行う。このように、イベントの開始の時刻が近付くにつれて、情報提示の範囲を狭める。なお、各ゾーンの情報提供機器は複数あってもよい。
【００２０】
［第１の実施の形態］
図４は、本発明の第１の実施の形態における情報提示機器選択装置の構成を示す。
【００２１】
同図に示す情報提示機器選択装置１００は、時刻情報取得部１１０、移動距離算出部１２０、機器位置−イベント開催位置間距離算出部１３０、機器制御情報更新部１４０、機器制御部１５０、機器制御リスト記憶部１６０を有する。なお、機器制御情報リスト記憶部１６０は、当該情報提示機器選択装置１００内のメモリまたはファイルに設けられるものとする。
【００２２】
時刻情報取得部１１０は、現在時刻をタイマから取得する。なお、当該時刻情報取得部は、当該情報提示機器選択装置１００の外部にあってもよい。その場合は、時刻は移動距離算出部１２０で取得するようになる。
【００２３】
移動距離算出部１２０には、イベント情報データベース２１０が接続されている。当該イベント情報データベース２１０は、イベント番号、開催位置、開始時刻、人の歩行速度を保持する。なお、本実施の形態では、人の歩行速度をイベント情報データベース２１０に格納しておく例を示しているが、この例に限定されることなく、外部から入力する、または、メモリに格納しておくようにしてもよい。イベント情報データベース２１０の座標による位置表現位置情報のイメージを図５に示す。同図に示すように本発明では、ｘ軸とｙ軸からなる座標を設け、開催位置情報はｘとｙの２値で表すものとする。移動距離算出部１２０は、時刻取得部１１０で取得した現在時刻からイベント情報データベース２１０のイベント開始時刻までに人が移動できる距離を算出し、機器制御情報更新部１４０に出力する。
【００２４】
機器位置−イベント開催位置間距離算出部１３０には、イベント情報データベース２１０と、機器番号と機器設置位置情報を格納した情報提示機器データベース２２０が接続されており、イベント情報データベース２１０からイベント番号と開催位置情報を取得し、情報提示機器データベース２２０から機器番号と機器設置位置情報を取得し、機器設置位置からイベント開催位置までの距離を予めメモリ（図示せず）に格納されている歩行速度を用いて算出する。
【００２５】
機器制御情報更新部１４０は、機器位置−イベント開催位置間距離算出部１３０からイベントごとのイベント開催位置と機器設置場所の間の距離を取得し、また、移動距離算出部１２０からイベント開始までに人が移動できる距離を取得して、情報提示機器毎に「人が移動できる距離Ａ」と「機器位置とイベント開催位置間の距離Ｂ」の関係が、Ａ＞Ｂとなるイベントを選択し、情報提示機器と選択されたイベントの組（例えば、｛情報提示機器番号「１」、イベント番号「２」｝）で機器制御リスト記憶部１６０の機器制御情報リストを更新する。なお、機器制御リスト記憶部１６０は、最初は０件であり、当該レコードにはデフォルトが設定されているものとする。
【００２６】
機器制御部１５０には、イベント毎の案内情報が格納されている案内情報データベース２３０が接続されている。ここで、案内情報とは、音声、映像、画像、文字のいずれかの要素を持ち、情報提示機器１０で再生可能なファイルである。機器制御部１５０は、機器制御情報更新部１４０から取得した情報提示機器毎に選択された機器制御情報リストを取得し、当該機器制御情報リストのイベント番号に基づいて案内情報データベース２３０からイベント番号に対応する案内情報を取得して、情報提示機器番号に対応する情報提示機器１０に対して案内情報を送信する。
【００２７】
以下に、上記の構成における一連の動作を説明する。
【００２８】
図６は、本発明の一実施の形態における動作のフローチャートである。
【００２９】
ステップ１０１）  時刻情報取得部１１０は、現在時刻をタイマから取得し、移動距離算出部１２０に渡す。
【００３０】
ステップ１０２）  移動距離算出部１２０は、イベント情報データベース２１０から取得した開始時刻をＴ、人の場内（図３の例では、ゾーンＢ，Ｃ，Ｄのいずれか）における歩行速度をＳ［ｍ／分］、時刻取得部１１０で取得した現在時刻をｔとして、イベント開始までに人が移動できる距離ｄmove（ｔ）を、
ｄmove（ｔ）＝（Ｔ−ｓ）Ｓ
により求める。但し、Ｔ−ｔの単位は［分］とするので、ｄmove（ｔ）の単位は［ｍ］である。当該処理をイベント毎に求める。
【００３１】
ステップ１０３）    機器位置−イベント開催位置間距離算出部１３０は、提示機器データベース２２０に保持されている機器設置位置とイベント情報データベース２１０に保持されているイベント開催位置から、機器設置位置からイベント開催位置までの距離を算出する。ここで、イベント開催位置を（ｘm，ｙm）とし、機器設置位置を（ｘsn，ｙsn）とすれば、機器位置−イベント開催位置間の距離ｄm,nは
ｄm,n＝（（ｘm−ｘsn）2＋（ｙm−ｙsn）2）1/2
である。但し、位置の単位を［m］とするので、ｄm,nの単位も［ｍ］である。
【００３２】
ステップ１０４）  機器制御情報更新部１４０は、予め定められた間隔（例えば、１分間）で機器制御リスト記憶部１６０の機器制御情報を更新する。ここで、機器制御情報とは０個以上のイベント番号からなるリストであり、情報提供機器毎に１つの機器制御情報が存在する。具体的に、機器制御情報更新部１４０の機器制御情報の更新は以下のように行う。
【００３３】
（１）情報提示機器（情報提示機器番号）毎に、全てのイベント番号について、
ｄmove(t)＞ｄm,n
を評価する。
【００３４】
（２）上記の評価式が真となるイベント番号を機器制御リスト記憶部１６０の機器制御情報リストに加える。
【００３５】
ステップ１０５）  機器制御部１５０は、機器制御情報更新部１４０で更新された機器制御リスト記憶部１６０の機器制御情報のイベント番号に従って、案内情報データベース２３０に保持されたイベント案内情報を取得して、機器制御情報の情報提示機器番号に対応する情報提示機器１０に送る。ここで、機器制御情報リストの要素の個数が０の場合は、イベント案内情報の代わりに再生停止情報を情報提示機器１０に送信する。
【００３６】
これにより、情報提示機器１０は、機器制御部１５０から取得したイベント案内情報を繰り返し再生する。新しいイベント案内情報が送られると、再生内容を全て新しいイベント案内情報に更新される。また、再生停止情報が送られた場合は再生を停止する。
【００３７】
［第２の実施の形態］
第１の実施の形態では、機器制御部１５０に案内情報データベース２３０を接続していたが、本実施の形態では、音声入力装置を用いた例を説明する。
【００３８】
図７は、本発明の第２の実施の形態における情報提示機器選択装置の構成図である。
【００３９】
同図において、図４の構成と同一部分には同一符号を付し、その説明を省略する。
【００４０】
図７に示す構成は、図４の案内情報データベース２３０の代わりに、音声情報を出力する音声入力装置３００を用いる。
【００４１】
この構成において、機器制御部１５０においてイベント番号を音声入力装置３００に入力すると、音声情報入力装置３００からイベント番号に対応する音声情報を取得し、情報提示機器１０に出力する。なお、本実施の形態の場合は、情報提示機器１０における繰り返し再生は行わない。
【００４２】
上記の図４、図７に示す情報提示機器選択装置の構成要素の動作をプログラムとして構築し、情報提示機器選択装置として利用されるコンピュータにインストールして実行させる、または、ネットワークを介して流通させることが可能である。
【００４３】
また、構築されたプログラムをハードディスクや、フレキシブルディスク・ＣＤ−ＲＯＭ等の可搬記憶媒体に格納し、コンピュータにインストールする、または、配布することが可能である。
【００４４】
なお、本発明は、上記の実施の形態に限定されることなく、特許請求の範囲内において種々変更・応用が可能である。
【符号の説明】
【００４５】
１０  情報提示機器
１００  情報提示機器選択装置
１１０  時刻取得部
１２０  移動距離算出手段、移動距離算出部
１３０  機器位置−イベント開催位置間距離算出手段、機器位置−イベント開催位置間距離算出部
１４０  機器制御情報更新手段、機器制御情報更新部
１５０  機器制御手段、機器制御部
１６０  機器制御リスト記憶手段、機器制御リスト記憶部
２１０  イベント情報データベース
２２０  情報提示機器データベース
２３０  案内情報データベース
３００  音声入力装置
【図１】
2011008447.tif 000003
【図２】
2011008447.tif 000004
【図３】
2011008447.tif 000005
【図４】
2011008447.tif 000006
【図５】
2011008447.tif 000007
【図６】
2011008447.tif 000008
【図７】
2011008447.tif 000009